(57)【特許請求の範囲】
【請求項１】
ワイヤレス通信のための方法において、
複数のユーザ機器（ＵＥ）から、チャネル方向情報（ＣＤＩ）を受信することと、  
前記複数のＵＥから、前記ＣＤＩに対応しているチャネル強度情報（ＣＳＩ）を受信することと、
前記複数のＵＥからの前記ＣＤＩと前記ＣＳＩとに基づいて、データ送信のために前記複数のＵＥの中の少なくとも１つのＵＥをスケジューリングすることとを含み、
前記ＣＳＩは、前記複数のＵＥの中のＵＥから、前記ＣＤＩよりも頻繁に受信される方法。
【請求項２】
前記複数のＵＥからＣＤＩを受信することは、前記複数のＵＥのそれぞれから、少なくとも１つの固有ベクトルを受信することを含む請求項１記載の方法。
【請求項３】
前記複数のＵＥからＣＳＩを受信することは、前記複数のＵＥのそれぞれから、少なくとも１つの固有ベクトルに対応している少なくとも１つの特異値を受信することを含む請求項１記載の方法。
【請求項４】
前記少なくとも１つのＵＥをスケジューリングすることは、
単一ユーザの複数入力複数出力（ＳＵ−ＭＩＭＯ）に対する、前記複数のＵＥのそれぞれの性能を決定することと、
複数ユーザのＭＩＭＯ（ＭＵ−ＭＩＭＯ）に対する、ＵＥの少なくとも１つのセットのそれぞれの性能を決定することと、
スケジューリングするために、前記複数のＵＥの中の１つのＵＥを、または、前記ＵＥの少なくとも１つのセットの中のＵＥの１つのセットを選択することとを含み、
前記ＵＥの少なくとも１つのセットは、前記複数のＵＥに基づいて形成される請求項１記載の方法。
【請求項５】
前記少なくとも１つのＵＥをスケジューリングすることは、信号対漏洩比（ＳＬＲ）に関連するメトリックに基づいて、スケジューリングするために前記少なくとも１つのＵＥを選択することを含む請求項１記載の方法。
【請求項６】
前記少なくとも１つのＵＥをスケジューリングすることは、
前記複数のＵＥに基づいて、ＵＥの複数のセットを決定することと、
ＵＥのセット中のすべてのＵＥに対する固有ベクトルに基づいて、ＵＥのそれぞれのセット中のそれぞれのＵＥに対するプリコーディングベクトルを決定することと、
前記ＵＥのセット中のすべてのＵＥに対するプリコーディングベクトルに基づいて、前記ＵＥのそれぞれのセットに対するメトリックを決定することと、
前記ＵＥのそれぞれのセットに対するメトリックに基づいて、スケジューリングするために前記ＵＥの１つのセットを選択することとを含む請求項２記載の方法。
【請求項７】
前記それぞれのＵＥに対するプリコーディングベクトルを決定することは、前記ＵＥに対する信号対漏洩比（ＳＬＲ）を最大にするように、前記それぞれのＵＥに対するプリコーディングベクトルを決定することを含む請求項６記載の方法。
【請求項８】
前記ＵＥのそれぞれのセットに対するメトリックを決定することは、
前記ＵＥのセット中のすべてのＵＥに対するプリコーディングベクトルに基づいて、前記ＵＥのそれぞれのセット中のそれぞれのＵＥに対するスペクトル効率を決定することと、
前記ＵＥのセット中のすべてのＵＥに対するスペクトル効率に基づいて、前記ＵＥのそれぞれのセットに対するメトリックを決定することとを含む請求項６記載の方法。
【請求項９】
前記ＵＥのそれぞれのセットに対するメトリックを決定することは、前記ＵＥのセット中のそれぞれのＵＥによって経験するスループットにさらに基づいて、前記ＵＥのそれぞれのセットに対するメトリックを決定することを含む請求項８記載の方法。
【請求項１０】
前記ＵＥのそれぞれのセットに対するメトリックを決定することは、前記ＵＥのセット中のすべてのＵＥに対するプリコーディング間の直交性に基づいて、前記ＵＥのそれぞれのセットに対するメトリックを決定することを含む請求項６記載の方法。
【請求項１１】
前記少なくとも１つのＵＥから、チャネル品質情報（ＣＱＩ）を受信することと、
前記少なくとも１つのＵＥからのＣＱＩに基づいて、前記少なくとも１つのＵＥに対する少なくとも１つの変調コーディングスキーム（ＭＣＳ）を選択することとをさらに含む請求項１記載の方法。
【請求項１２】
前記少なくとも１つのＵＥに対する少なくとも１つのバックオフファクターを決定することと、
前記少なくとも１つのバックオフファクターにさらに基づいて、前記少なくとも１つのＭＣＳを選択することとをさらに含む請求項１１記載の方法。
【請求項１３】
前記複数のＵＥから、ノイズおよび干渉情報を受信することと、
前記複数のＵＥからのノイズおよび干渉情報にさらに基づいて、データ送信のために前記少なくとも１つのＵＥをスケジューリングすることとをさらに含む請求項１記載の方法。
【請求項１４】
ワイヤレス通信のための装置において、
複数のユーザ機器（ＵＥ）から、チャネル方向情報（ＣＤＩ）を受信する手段と、
前記複数のＵＥから、前記ＣＤＩに対応しているチャネル強度情報（ＣＳＩ）を受信する手段と、
前記複数のＵＥからの前記ＣＤＩと前記ＣＳＩとに基づいて、データ送信のために前記複数のＵＥの中の少なくとも１つのＵＥをスケジューリングする手段とを具備し、
前記ＣＳＩは、前記複数のＵＥの中のＵＥから、前記ＣＤＩよりも頻繁に受信される装置。
【請求項１５】
前記少なくとも１つのＵＥをスケジューリングする手段は、信号対漏洩比（ＳＬＲ）に関連するメトリックに基づいて、スケジューリングするために前記少なくとも１つのＵＥを選択する手段を備える請求項１４記載の装置。
【請求項１６】
前記少なくとも１つのＵＥをスケジューリングする手段は、
単一ユーザの複数入力複数出力（ＳＵ−ＭＩＭＯ）に対する、前記複数のＵＥのそれぞれの性能を決定する手段と、
複数ユーザのＭＩＭＯ（ＭＵ−ＭＩＭＯ）に対する、ＵＥの少なくとも１つのセットのそれぞれの性能を決定する手段と、
スケジューリングするために、前記複数のＵＥの中の１つのＵＥを、または、前記ＵＥの少なくとも１つのセットの中のＵＥの１つのセットを選択する手段とを備え、
前記ＵＥの少なくとも１つのセットは、前記複数のＵＥに基づいて形成される請求項１４記載の装置。
【請求項１７】
前記複数のＵＥからＣＤＩを受信する手段は、前記複数のＵＥのそれぞれから、少なくとも１つの固有ベクトルを受信する手段を備え、
前記少なくとも１つのＵＥをスケジューリングする手段は、
前記複数のＵＥに基づいて、ＵＥの複数のセットを決定する手段と、
前記ＵＥのセット中のすべてのＵＥに対する固有ベクトルに基づいて、ＵＥのそれぞれのセット中のそれぞれのＵＥに対するプリコーディングベクトルを決定する手段と、
前記ＵＥのセット中のすべてのＵＥに対するプリコーディングベクトルに基づいて、前記ＵＥのそれぞれのセットに対するメトリックを決定する手段と、
前記ＵＥのそれぞれのセットに対するメトリックに基づいて、スケジューリングするために前記ＵＥの１つのセットを選択する手段とを備える請求項１４記載の装置。
【請求項１８】
ワイヤレス通信のための装置において、
複数のユーザ機器（ＵＥ）から、チャネル方向情報（ＣＤＩ）を受信するようにと、
前記複数のＵＥから、前記ＣＤＩに対応しているチャネル強度情報（ＣＳＩ）を受信するようにと、
前記複数のＵＥからの前記ＣＤＩと前記ＣＳＩとに基づいて、データ送信のために前記複数のＵＥの中の少なくとも１つのＵＥをスケジューリングするように構成されている少なくとも１つのプロセッサを具備し、
前記ＣＳＩは、前記複数のＵＥの中のＵＥから、前記ＣＤＩよりも頻繁に受信される装置。
【請求項１９】
コンピュータ読み取り可能記憶媒体において、
複数のユーザ機器（ＵＥ）から、チャネル方向情報（ＣＤＩ）を少なくとも１つのコンピュータに受信させるためのコードと、
前記複数のＵＥから、前記ＣＤＩに対応しているチャネル強度情報（ＣＳＩ）を少なくとも１つのコンピュータに受信させるためのコードと、
前記複数のＵＥからの前記ＣＤＩと前記ＣＳＩとに基づいて、データ送信のために前記複数のＵＥの中の少なくとも１つのＵＥを前記少なくとも１つのコンピュータにスケジューリングさせるためのコードとを含み、
前記ＣＳＩは、前記複数のＵＥの中のＵＥから、前記ＣＤＩよりも頻繁に受信されるコンピュータ読み取り可能記憶媒体。
【発明の詳細な説明】
【優先権の主張】
【０００１】
本出願は、「ＬＴＥ−ＡにおけるダウンリンクＭＵ−ＭＩＭＯ動作」と題し、２００９年８月１８日に出願された米国仮出願シリアル番号第６１／２３４，８７８号に対する優先権を主張し、この出願は、本発明の譲受人に譲渡され、ここに参照により組み込まれている。
【背景】
【０００２】
Ｉ．分野
本開示は、一般的に、通信に関し、さらに詳細には、ワイヤレス通信ネットワーク中でのデータ送信をサポートする技術に関する。
【０００３】
ＩＩ．背景
音声、ビデオ、パケットデータ、メッセージング、ブロードキャスト等のような、さまざまな通信コンテンツを提供するために、ワイヤレス通信ネットワークが広範囲に配備されている。これらのワイヤレスネットワークは、利用可能なネットワークリソースを共有することによって、複数のユーザをサポートすることができる多元接続ネットワークであってもよい。このような多元接続ネットワークの例は、コード分割多元接続（ＣＤＭＡ）ネットワークや、時分割多元接続（ＴＤＭＡ）ネットワークや、周波数分割多元接続（ＦＤＭＡ）ネットワークや、直交ＦＤＭＡ（ＯＦＤＭＡ）ネットワークや、単一搬送波ＦＤＭＡ（ＳＣ−ＦＤＭＡ）ネットワークを含む。
【０００４】
ワイヤレス通信ネットワークは、多数のユーザ機器（ＵＥ）に対する通信をサポートできる多数の基地局を含んでいてもよい。ＵＥは、複数のセルのカバレッジ内のものであってもよく、ここで、「セル」という用語は、基地局のカバレッジエリアのことを、および／または、そのカバレッジエリアを担当している基地局サブシステムのことを意味することがある。ＵＥを担当するために、複数のセルのうちの１つ以上を選択してもよい。良好な性能を提供できる様態で、選択されたセルがデータをＵＥに送信することが好ましい。
【概要】
【０００５】
ワイヤレスネットワーク中でのデータ送信のためにＵＥをスケジューリングするための技術を、ここで記述する。１つの設計では、（例えば、セル用の）スケジューラが、複数のＵＥからチャネル方向情報（ＣＤＩ）を受信してもよく、複数のＵＥからのＣＤＩに対応しているチャネル強度情報（ＣＳＩ）も受信してもよい。１つの設計では、それぞれのＵＥからのＣＤＩは、セルからＵＥへのワイヤレスチャネルに対する少なくとも１つの固有ベクトル（例えば、少なくとも１つの右特異ベクトル）を含んでいてもよい。１つの設計では、それぞれのＵＥからのＣＳＩは、ＵＥからの少なくとも１つの固有ベクトルに対応している少なくとも１つの特異値を含んでいてもよい。スケジューラは、複数のＵＥからのＣＤＩとＣＳＩとに基づいて、データ送信のために複数のＵＥの中の少なくとも１つのＵＥをスケジューリングしてもよい。スケジューラは、信号対漏洩比（ＳＬＲ）、または、スペクトル効率、または、他の何らかの基準、または、これらを組み合わせたものに関連するメトリックに基づいて、少なくとも１つのＵＥを選択してもよい。
【０００６】
１つの設計では、スケジューラが、所定の時間周波数リソース上で、単一ユーザの複数入力複数出力（ＳＵ−ＭＩＭＯ）のために１つのＵＥを、または、複数ユーザのＭＩＭＯ（ＭＵ−ＭＩＭＯ）のために複数のＵＥをスケジューリングするか否かを決定するために、ＵＥの異なるセットの性能を評価してもよい。スケジューラは、ＳＵ−ＭＩＭＯのために複数のＵＥのそれぞれの性能を決定してもよい。スケジューラは、ＭＵ−ＭＩＭＯのためにＵＥのそれぞれのセットの性能も決定してもよい。スケジューラは、ＳＵ−ＭＩＭＯのために１つのＵＥ、または、ＭＵ−ＭＩＭＯのためにＵＥの１つのセット、のいずれかを選択してもよい。
【０００７】
１つの設計では、スケジューラは、セット中のすべてのＵＥに対する固有ベクトルに基づいて、ＵＥのそれぞれのセット中のそれぞれのＵＥに対するプリコーディングベクトルを決定してもよい。ＵＥに対するＳＬＲを最大にするように、それぞれのＵＥに対するプリコーディングベクトルを規定してもよい。スケジューラは、セット中のすべてのＵＥに対するプリコーディングベクトルに基づいて、ＵＥのそれぞれのセットに対するメトリックを決定してもよい。メトリックは、スペクトル効率、または、比例公平性、または、プリコーディングベクトル間の直交性、または、他の何らかの基準、または、これらを組み合わせたものに関連していてもよい。スケジューラは、ＵＥのそれぞれのセットに対するメトリックに基づいて、スケジューリングするためにＵＥの１つのセットを選択してもよい。
【０００８】
スケジューラは、スケジューリングのために選択された少なくとも１つのＵＥから、チャネル品質情報（ＣＱＩ）を受信してもよい。スケジューラは、ＣＱＩに基づいて、少なくとも１つのＵＥに対する少なくとも１つの変調コーディングスキーム（ＭＣＳ）を選択してもよい。スケジューラは、少なくとも１つのＭＣＳに基づいて、少なくとも１つのＵＥにデータ送信を送ってもよい。
【０００９】
この開示のさまざまな態様および特徴を、以下でさらに詳細に記述する。
【図面の簡単な説明】
【００１０】
【図１】図１は、ワイヤレス通信ネットワークを示している。
【図２】図２は、セルから１つ以上のＵＥへのダウンリンク送信を示している。
【図３】図３は、データ送信のためにＵＥをスケジューリングするためのプロセスを示している。
【図４】図４は、データ送信のためにＵＥをスケジューリングする装置を示している。
【図５】図５は、データ送信を受信するためのプロセスを示している。
【図６】図６は、データ送信を受信する装置を示している。
【図７】図７は、基地局およびＵＥのブロック図を示している。
【詳細な説明】
【００１１】
ＣＤＭＡや、ＴＤＭＡや、ＦＤＭＡや、ＯＦＤＭＡや、ＳＣ−ＦＤＭＡや、他のネットワークのような、さまざまなワイヤレス通信ネットワークに対して、ここで記述する技術を使用してもよい。「ネットワーク」および「システム」という用語は、互換性があるように使用されることが多い。ＣＤＭＡネットワークは、ユニバーサル地上無線アクセス（ＵＴＲＡ）、ｃｄｍａ２０００等のような無線技術を実現してもよい。ＵＴＲＡは、ワイドバンドＣＤＭＡ（ＷＣＤＭＡ）や、ＣＤＭＡの他の変形を含む。ｃｄｍａ２０００は、ＩＳ−２０００や、ＩＳ−９５や、ＩＳ−８５６標準規格をカバーする。ＴＤＭＡネットワークは、グローバルシステムフォーモバイル通信（ＧＳＭ）（登録商標）のような無線技術を実現してもよい。ＯＦＤＭＡネットワークは、進化したＵＴＲＡ（Ｅ−ＵＴＲＡ）や、ウルトラモバイルブロードバンド（ＵＭＢ）や、ＩＥＥＥ８０２．１１（Ｗｉ−Ｆｉ（登録商標））や、ＩＥＥＥ８０２．１６（Ｗｉ−ＭＡＸ）や、ＩＥＥＥ８０２．２０や、フラッシュ−ＯＦＤＭ等のような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）およびＬＴＥ−アドバンスド（ＬＴＥ−Ａ）は、ダウンリンク上ではＯＦＤＭＡを、アップリンク上ではＳＣ−ＦＤＭＡを用いるＥ−ＵＴＲＡを使用する、新しいリリースのＵＭＴＳである。ＵＴＲＡや、Ｅ−ＵＴＲＡや、ＵＭＴＳや、ＬＴＥや、ＬＴＥ−Ａや、ＧＳＭは、「第３世代パートナーシッププロジェクト」（３ＧＰＰ）と名付けられている機関による文書中に記述されている。ｃｄｍａ２０００およびＵＭＢは、「第３世代パートナーシッププロジェクト２」（３ＧＰＰ２）と名付けられている機関による文書中に記述されている。先に説明したワイヤレスネットワークおよび無線技術とともに、他のワイヤレスネットワークおよび無線技術に対して、ここで記述した技術を使用してもよい。明確にするために、以下でＬＴＥについて、技術のいくつかの態様を記述し、以下の記述の大部分では、ＬＴＥという専門用語を使用する。
【００１２】
図１は、ワイヤレス通信ネットワーク１００を示しており、このワイヤレス通信ネットワーク１００は、ＬＴＥネットワークまたは他の何らかのワイヤレスネットワークであってもよい。ネットワーク１００は、多数の進化したノードＢ（ｅＮＢ）１１０と、多数のＵＥに対する通信をサポートすることができる他のネットワークエンティティとを含んでいてもよい。ｅＮＢは、ＵＥと通信するエンティティであってもよく、基地局、ノードＢ、アクセスポイント等とも呼ばれることがある。それぞれのｅＮＢ１１０は、特定の地理的エリアに対する通信カバレッジを提供してもよい。ネットワーク容量を改善するために、ｅＮＢのカバレッジエリア全体を、複数の（例えば、３つの）より小さいエリアに区分してもよい。それぞれの、より小さいエリアは、各ｅＮＢサブシステムによって担当されてもよい。３ＧＰＰにおいて、「セル」という用語は、ｅＮＢの最も小さいカバレッジエリアのことを、および／または、このカバレッジエリアを担当しているｅＮＢサブシステムのことを意味することがある。３ＧＰＰ２では、「セクタ」または「セルセクタ」という用語は、基地局の最も小さいカバレッジエリアのことを、および／または、このカバレッジエリアを担当している基地局サブシステムのことを意味することがある。明確にするために、以下の記述では、セルの３ＧＰＰの概念を使用する。一般的に、ｅＮＢは、１つの、または、複数（例えば、３つ）のセルをサポートしてもよい。
【００１３】
ネットワーク制御装置１３０は、ｅＮＢの１つのセットに結合させてもよく、これらのｅＮＢに対する調整および制御を提供してもよい。ネットワーク制御装置１３０は、移動体管理エンティティ（ＭＭＥ）および／または他の何らかのネットワークエンティティを含んでいてもよい。
【００１４】
ＵＥ１２０は、ワイヤレスネットワーク全体を通して分散されていてもよく、それぞれのＵＥは静的なものであっても、または、移動性のものであってもよい。ＵＥを、移動局、端末、アクセス端末、加入者ユニット、局等とも呼ぶことがある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマート電話機、ノートブック、スマートブック等であってもよい。ＵＥは、ダウンリンクおよびアップリンクを通して、ｅＮＢ／セルと通信してもよい。ダウンリンク（すなわち、フォワードリンク）は、ｅＮＢ／セルからＵＥへの通信リンクのことを意味し、アップリンク（すなわち、リーバースリンク）は、ＵＥからｅＮＢ／セルへの通信リンクのことを意味する。
【００１５】
表１は、サポートされ得る、送信モード／スキームのセットをリストアップしている。それぞれのセルは、そのＵＥに対して、ＳＵ−ＭＩＭＯとＭＵ−ＭＩＭＯとをサポートしてもよい。複数のセルは、１つ以上のＵＥに対してＣｏＭＰをサポートしてもよく、この１つ以上のＵＥは、これらのセルの境界に位置付けられることがあり、セル端ＵＥと呼ばれることがある。セル端ＵＥは、高いセル間干渉を観測することがあり、この高いセル間干渉が、性能に悪影響を与えることがある。セル端ＵＥの性能を改善するために、ＣｏＭＰは、空間次元を活用することができる。
【表１】
0005475134.tif 000002
【００１６】
表１中でリストアップされている送信モードのそれぞれに対して、ビームステアリングを使用してもよい。ビームステアリングは、ターゲットの受信機に向けた送信の、および／または、意図されたものではない受信機から離れた送信の、空間方向を制御するためのプロセスである。以下で記述したように、プリコーディングベクトルを、送信機における送信に適用することによって、ビームステアリングを実行してもよい。
【００１７】
図２は、所定の時間周波数リソース上での、１つのセルから１つ以上のＵＥへのデータ送信を示している。セルには、複数（Ｔ）本のアンテナが備えられていてもよい。ＳＵ−ＭＩＭＯでは、セルは、データ送信を、複数のアンテナが備えられている１つのＵＥに送ってもよい。ＭＵ−ＭＩＭＯでは、セルは、データ送信を複数のＵＥに送ってもよく、それぞれのＵＥには、１つ以上のアンテナが備えられていてもよい。簡単にするために、以下の記述は、それぞれのＵＥには、複数（Ｒ）本のアンテナが備えられていると仮定する。
【００１８】
図２中で示されているように、セルからそれぞれのＵＥｉへのワイヤレスチャネルの応答は、Ｒ×Ｔのチャネル行列Ｈiによって与えられてもよい。チャネル行列Ｈiは、チャネル利得を含み、このチャネル利得は、セルにおけるＴ本のアンテナと、ＵＥｉにおけるＲ本の受信アンテナとの間の短期間のフェーディングを表している。
【００１９】
１つの設計では、それぞれのＵＥが、セルからそのＵＥへのワイヤレスチャネルの１つ以上の固有モードに対する１つ以上の固有ベクトルを報告してもよい。それぞれのＵＥは、以下：
【数１】
0005475134.tif 000003
【００２０】
のように、そのチャネル行列の特異値分解を実行してもよく、ここで、
Ｕiは、Ｈiの左特異ベクトルのユニタリ行列であり、
Ｖiは、Ｈiの右特異ベクトルのユニタリ行列であり、
Σiは、Ｈiの特異値の対角行列であり、そして、
“H”は、エルミネートまたは共役転置を示している。
【００２１】
ユニタリ行列は、互いに直交する列を有し、それぞれの列は、単位パワーを有する。対角行列は、対角に沿っては、可能性あるゼロでない値を有し、他の場所ではゼロを有する。行列Ｖiを、送信行列とも呼ぶことあり、送信より前にデータをプリコーディングするために、この行列Ｖiを使用してもよい。送信行列Ｖiは、Ｈiの共分散行列の固有値分解を実行することによっても取得することができる。固有値分解を、ＨiHＨi＝ＶiΛiＶiHとして表してもよく、ここで、Λiは、ＨiHＨiの固有値の対角行列であり、Ｖiは、ＨiHＨiの固有ベクトルの行列である。したがって、ＨiHＨiの固有ベクトルは、Ｈiの右特異ベクトルに対応していてもよい。
【００２２】
Ｈiの固有モードにおいてデータをＵＥｉに送信するために、セルは、送信行列Ｖi（または場合によっては、その列のサブセット）によりプリコーディングを実行してもよい。固有モードを、直交空間チャネルとしてみてもよく、この固有モードをレイヤとも呼ぶことがある。Σiにおける特異値は、Ｈiの固有モードのチャネル強度を示す。Ｈiの固有モードにおいてデータを送信することによって、良好な性能を達成することができる。
【００２３】
ＵＥｉは、Σi中のＭ個の最大の特異値に対応している、Ｖi中のＭ個の最良の固有ベクトルを選択してもよく、ここで、一般的に、１≦Ｍ≦ｍｉｎ｛Ｒ，Ｔ｝である。１つの設計では、ＵＥｉは、異なる可能性ある数の固有ベクトル（すなわち、異なる可能性あるＭ値）の性能を評価してもよく、最良の性能を持つＭ値を選択してもよい。別の設計では、長期間のチャネル条件、ＵＥｉに対するデータ量等のような、さまざまな基準に基づいて、Ｍの特定の値によりＵＥｉを構成してもよい。いずれのケースにおいても、Ｍは、ＵＥｉに対して構成されている最高ランクを示してもよく、（例えば、ＭＵ−ＭＩＭＯに対して）１に等しくてもよく、または（例えば、ＳＵ−ＭＩＭＯに対して）２に等しくてもよく、または他の何らかの値に等しくてもよい。
【００２４】
ＵＥｉは、Ｖi中のＭ個の最良の固有ベクトルのそれぞれを量子化し、対応する量子化された固有ベクトルを取得してもよい。それぞれの固有ベクトルを量子化するために、コードブックを使用してもよく、このコードブックは、多数のベクトルを含んでいてもよい。コードブック中のそれぞれのベクトルに、一意的なインデックスを割り当ててもよい。ＵＥｉは、例えば、正規化相関のようなメトリックに基づいて、コードブック中のそれぞれのベクトルに対してそれぞれの固有ベクトルを評価してもよい。それぞれの固有ベクトルに対しては、最良のメトリックを持つ、コードブック中のベクトルを、その固有ベクトルに対する量子化された固有ベクトルとして選択してもよい。ＵＥｉは、Ｍ個の量子化された固有ベクトルと、Ｍ個の対応する特異値とを報告してもよい。
【００２５】
セルは、多数のＵＥから、量子化された固有ベクトルを受信してもよい。セルは、所定の時間周波数リソース上でのデータ送信のために１つ以上のＵＥを選択するスケジューリングを実行してもよい。ＳＵ−ＭＩＭＯでは、セルは、ＵＥからの複数の量子化された固有ベクトルに基づいて、複数の固有モード／レイヤ上で複数のパケットを、例えば、それぞれのレイヤ上で１つのパケットを送信してもよい。パケットを、トランスポートブロック、コードワード等とも呼ぶことがある。ＭＵ−ＭＩＭＯでは、セルは、複数のＵＥからの複数の量子化された固有ベクトルに基づいて、複数のパケットを送信してもよい。スケジューリングするために、セルは、（ｉ）ＳＵ−ＭＩＭＯによりスケジューリングできる異なるＵＥの性能と、（ｉｉ）ＭＵ−ＭＩＭＯによりスケジューリングできるＵＥの異なるセットの性能とを決定してもよい。セルは、異なるＵＥとＵＥの異なるセットとの性能に基づいて、ＳＵ−ＭＩＭＯまたはＭＵ−ＭＩＭＯのいずれかを選択してもよい。ＳＵ−ＭＩＭＯを選択した場合、セルは、最良の性能を持つＵＥをスケジューリングすることができる。ＭＵ−ＭＩＭＯを選択した場合、セルは、最良の性能を持つＵＥの１つのセットをスケジューリングすることができる。
【００２６】
１つの設計において、ＭＵ−ＭＩＭＯでは、ＳＬＲに関連するメトリックに基づいて、ＵＥの異なるセットを評価してもよい。ＳＬＲは、データ送信のために、ターゲットのＵＥにおける受信信号品質を最大にすることと、犠牲ＵＥに対する干渉を最小にすることとの間の良好なバランスを提供することができる。一般的に、ＵＥの１つのセットは、任意の数のＵＥを含んでいてもよく、任意の数のレイヤ上での任意の数のパケットの送信のために、それぞれのＵＥをスケジューリングしてもよい。簡単にするために、以下の記述は、評価されているＵＥの１つのセット中のそれぞれのＵＥに、１つのパケットを１つのレイヤ上で送ると仮定する。
【００２７】
ＵＥｉのＳＬＲを、
【数２】
0005475134.tif 000004
【００２８】
として表してもよく、ここで、
ｖiは、ＵＥｉからの量子化された固有ベクトルであり、
ｗiは、ＵＥｉに対するプリコーディングベクトルであり、
λiは、量子化された固有ベクトルｖiに対応している特異値であり、
ｖjおよびλjは、ＵＥｊからの、量子化された固有ベクトルおよび特異値であり、このＵＥｊはまた、ＵＥｉとともにスケジューリングされ、
μは、他のセルからの干渉と、熱ノイズとを示しており、そして、
ＳＬＲiは、ＵＥｉのＳＬＲである。
【００２９】
それぞれのＵＥにおける受信機処理が、そのＵＥに対する（右特異ベクトルｖiに対応している）左特異ベクトルｕiにマッチングしていると、式（２）は仮定する。セルは、ＵＥｉへのデータ送信のために、プリコーディングベクトルｗiによりプリコーディングを実行する。このデータ送信は、ターゲットのＵＥｉにおける所望の送信であり、ＵＥｉともにスケジューリングされるそれぞれのＵＥにおける干渉送信でもある。式（２）では、分子は、ターゲットのＵＥｉにおける所望の信号電力を含む。分母は、（ｉ）加算の項によって与えられている、すべての共にスケジューリングされたＵＥにおける干渉信号電力と、（ｉｉ）他の干渉およびノイズとを含む。
【００３０】
ＵＥｉのＳＬＲを最大にするプリコーディングベクトルｗiを、
【数３】
0005475134.tif 000005
【００３１】
として表してもよい。ここで、Ｉは、単位行列を示している。
【００３２】
式（３）中で示されているように、スケジューリングされているすべてのＵＥに対する量子化された固有ベクトルと、共にスケジューリングされたＵＥの特異値とに基づいて、ＵＥｉに対するプリコーディングベクトルｗiを計算してもよい。それぞれの共にスケジューリングされたＵＥｊに対するプリコーディングベクトルｗjも、類似した態様で計算してもよい。
【００３３】
それぞれのＵＥが、その支配的固有ベクトルに基づいて受信機処理を実行する場合、ＵＥｉの信号対ノイズおよび干渉比（ＳＩＮＲ）を、
【数４】
0005475134.tif 000006
【００３４】
として表してもよい。ここで、ＳＩＮＲiは、ＵＥｉのＳＩＮＲである。
【００３５】
式（４）では、分子は、プリコーディングベクトルｗiを使用してＵＥｉに送られるデータ送信による、ＵＥｉにおける所望の信号電力を含む。分母は、（ｉ）プリコーディングベクトルｗjを使用して共にスケジューリングされたＵＥに送られるデータ送信による、ＵＥｉにおける干渉信号電力と、（ｉｉ）他の干渉およびノイズとを含む。
【００３６】
それぞれのＵＥが、最小平均二乗誤差（ＭＭＳＥ）受信機に基づいて受信機処理を実行する場合、ＵＥｉのＳＩＮＲを、
【数５】
0005475134.tif 000007
【００３７】
として表してもよい。ここで、Ｒnnは、他のセルからの干渉と、熱ノイズとの共分散行列である。式（５）において、干渉がセルにおいて知られていない場合、共分散行列Ｒnnを、Ｒnn＝μＩとして近似してもよい。
【００３８】
ＵＥの１つのセットの性能は、メトリックによって定量化されてもよく、このメトリックは、スペクトル効率または他の何らかのパラメータに関連していてもよい。１つの設計では、それぞれのＵＥのＳＩＮＲを、以下：
【数６】
0005475134.tif 000008
【００３９】
のように、制約のない容量関数に基づいて、スペクトル効率にマッピングしてもよい。ここで、ＳＥiが、ＵＥｉのスペクトル効率である。ＵＥｉのＳＩＮＲも、他の関数に基づいてスペクトル効率にマッピングしてもよい。
【００４０】
１つの設計では、全体的なスペクトル効率に関連する性能メトリックに基づいて、所定の時間周波数リソース上で１つ以上のＵＥをスケジューリングしてもよい。ＵＥの１つのセットに対する、全体的なスペクトル効率、ＳＥtotalを、
【数７】
0005475134.tif 000009
【００４１】
として表してもよい。
【００４２】
別の設計では、比例公平性に関連する性能メトリックに基づいて、所定の時間周波数リソース上で１つ以上のＵＥをスケジューリングしてもよい。ＵＥの１つのセットに対する比例公平性メトリック、Ｕを、
【数８】
0005475134.tif 000010
【００４３】
として表してもよい。ここで、ＴＰiは、ＵＥｉによって経験するスループットである。それぞれのＵＥの過去の性能（例えば、スループット）を考慮することによって、スケジューリングに公平性を組み込むことができる。
【００４４】
さらに別の設計では、プリコーディングベクトル間の直交性に関連する性能メトリックに基づいて、所定の時間周波数リソース上で１つ以上のＵＥをスケジューリングしてもよい。２つのＵＥに対する２つのプリコーディングベクトル間の直交性を、
【数９】
0005475134.tif 000011
【００４５】
として表してもよい。ここで、Ｑijは、ＵＥiとＵＥjとに対するプリコーディングベクトル間の直交性である。
【００４６】
ＵＥのそれぞれのセットに対して、プリコーディングベクトル間の直交性を計算してもよい。最も直交性のあるプリコーディングベクトルを持つＵＥの１つのセット（例えば、ＵＥのペア）を選択してもよい。この設計は、ＵＥのそれぞれのセットに対するスペクトル効率の計算を回避することができる。スケジューリングするＵＥの１つのセットを選択するために、他の性能メトリックも使用してもよい。
【００４７】
スケジューリングするＵＥの１つのセットを選択するために、先の設計を組み合わせたものも使用してもよい。例えば、最も直交性のあるプリコーディングベクトルを持つＵＥのＬ個の最良のセットを最初に選択してもよい。その後、ＵＥのＬ個のセットのそれぞれに対して、（例えば、総スペクトル効率または比例公平性に対する）性能メトリックを計算してもよい。スケジューリングするために、その後、最良の性能メトリックを持つＵＥの１つのセットを選択してもよい。
【００４８】
ＵＥの１つのセットに対して、他の性能メトリックも規定してもよい。使用するために選択された性能メトリックにかかわらず、セルは、ＵＥの異なるセットに対する性能メトリックを計算してもよい。それぞれのセットは、（ｉ）ＳＵ−ＭＩＭＯのために考慮されている１つのＵＥ、または、（ｉｉ）ＭＵ−ＭＩＭＯのために考慮されている複数のＵＥ、のいずれかを含んでいてもよい。最良の性能メトリックを持つＵＥの１つのセットを選択し、セルによる、時間周波数リソース上でのデータ送信のためにスケジューリングしてもよい。
【００４９】
一般的に、データ送信のためにスケジューリングされたＵＥの１つのセット中のそれぞれのＵＥに、１つ以上のパケットを送ってもよい。対応するコードワードを取得するために、適したＭＣＳに基づいて、それぞれのパケットを処理（例えば、エンコードおよび変調）してもよい。１つの設計では、１つのプリコーディングベクトルにより、それぞれのコードワードを送信してもよい。他の設計では、１つよりも多いプリコーディングベクトルにより、コードワードを送信してもよく、または、１つのプリコーディングベクトルにより、複数のコードワードを送信してもよい。簡単にするために、以下の記述は、１つのプリコーディングベクトルにより、それぞれのコードワードを送信すると仮定する。
【００５０】
１つの設計では、上述したように、コードワードに対して使用されるプリコーディングベクトルに対応しているスペクトル効率に基づいて、それぞれのコードワードに対するＭＣＳを決定してもよい。別の設計において、ＭＣＳ選択を支援するために、プリコーディングされた基準信号を使用してもよい。セルは、上述したように、データ送信のために１つ以上のＵＥをスケジューリングしてもよく、スケジューリングされたＵＥに対するＫ個のプリコーディングベクトルを決定してもよい。セルは、その後、Ｋ個のプリコーディングベクトルに基づいて、Ｋ個のプリコーディングされた基準信号を発生させてもよく、このプリコーディングされた基準信号を、スケジューリングされたＵＥに送信してもよい。それぞれのスケジューリングされたＵＥは、それぞれのコードワードのＳＩＮＲを推定してもよく、そのコードワードに対するプリコーディングされた基準信号に基づいて、ＵＥがスケジューリングされている。それぞれのスケジューリングされたＵＥは、そのＵＥに対する、それぞれのコードワードのＳＩＮＲに基づいてＣＱＩを決定してもよく、このＣＱＩをセルに送ってもよい。セルは、その後、コードワードに対する報告されたＣＱＩに基づいて、それぞれのコードワードに対するＭＣＳを選択してもよい。
【００５１】
所定の時間周波数リソース中での、ＵＥの１つのセットのスケジューリングを上述してきた。この時間周波数リソースは、周波数の何らかの単位と時間の何らかの単位とをカバーしてもよい。類似した態様で、異なる時間周波数リソース上で、ＵＥの異なるセットをスケジューリングしてもよい。１つの設計では、周波数にわたって、例えば、異なるサブバンド上で、ＵＥの異なるセットをスケジューリングおよび多重化するために、周波数選択的なスケジューリングを実行してもよい。それぞれのサブバンドは、周波数の範囲をカバーしてもよく、この周波数の範囲は、ＬＴＥでは、１．０８ＭＨｚに対応していてもよい。周波数選択的なスケジューリングをサポートするために、ＵＥをスケジューリングすることができる１つ以上のサブバンドに対する、ＣＤＩおよび／またはＣＱＩを、ＵＥは決定して報告してもよい。
【００５２】
一般的に、ＵＥは、データをＵＥに送信するために１つ以上のセルによって使用される、チャネル方向情報（ＣＤＩ）と、チャネル強度情報（ＣＳＩ）とを送ってもよい。ＣＤＩは、データをＵＥに送信する、１つ以上の空間方向またはビームを示していてもよい。１つの設計では、ＣＤＩは、１つ以上の固有ベクトルを含んでいてもよく、この１つ以上の固有ベクトルは、上述したように、チャネル行列の、特異値分解または固有値分解によって取得してもよい。ＣＤＩは、他の情報も含んでいてもよい。ＣＳＩは、ＣＤＩによって伝えられる、１つ以上のレイヤまたは空間方向に関係するチャネル強度を示していてもよい。１つの設計では、ＣＳＩは、１つ以上の特異値を含んでいてもよく、この１つ以上の特異値は、上述したように、チャネル行列の、特異値分解または固有値分解によって取得されてもよい。
【００５３】
ＳＵ−ＭＩＭＯや、ＭＵ−ＭＩＭＯや、ＣｏＭＰ（例えば、ＭＵ−ＭＩＭＯや、ＣｏＭＰのための良好な送信ヌリング）のために良好な性能を得るために、ＵＥは、ＣＤＩ（例えば、固有ベクトル）とＣＳＩ（例えば、特異値）とを十分な精度で送ってもよい。ＳＵ−ＭＩＭＯおよびＭＵ−ＭＩＭＯの性能は、ＣＤＩに対する量子化ビット数に依存していることを、コンピュータシミュレーションは示している。例えば、量子化誤差がないケースと比べて、固有ベクトルが６ビットに量子化されたときには約２０％だけ、または、固有ベクトルが１２ビットに量子化されたときには約８％だけ、あるいは、固有ベクトルが２０ビットに量子化されたときには、ごくわずかな量だけ、ＭＵ−ＭＩＭＯに対するセルのスペクトル効率が減少することがある。一般的に、ＣＤＩに対して、より多くのビットを使用することによって、（例えば、セルのスペクトル効率およびＵＥのスペクトル効率に関する）性能損失を減少させることができる。
【００５４】
１つの設計では、固有ベクトルを、固定されたビット数（例えば、６、８、１０、１２、または他の何らかのビット数）に量子化してもよい。別の設計では、固有ベクトルを、構成可能なビット数に量子化してもよい。さまざまなファクターに基づいて、特定の量子化ビット数に対してＵＥを構成してもよい。１つの設計では、ＳＵ−ＭＩＭＯのために、より少ないビット（例えば、４、６、または、より多いビット）により、あるいは、ＭＵ−ＭＩＭＯのために、より多いビット（例えば、８、１０、１２、または、より多いビット）により、固有ベクトルを量子化してもよい。
【００５５】
十分な精度でＣＤＩを送るために必要とされるオーバーヘッド量を減少させるために、さまざまなフィードバック減少技術を使用してもよい。これらのフィードバック減少技術は、フィードバック圧縮技術およびフィードバックエンコーディング技術を含んでいてもよい。フィードバック圧縮では、チャネル行列全体よりもむしろ、ワイヤレスチャネルについての有意な情報（例えば、１つ以上の固有ベクトル）だけを報告することができる。ＵＥによる固有ベクトルのフィードバックが、大抵のシナリオでは、結果として、チャネル行列のフィードバックと比べて、性能のごくわずかな損失（例えば、スループットの数パーセントの損失よりも低い）となり得ることを、コンピュータシミュレーションは示している。
【００５６】
フィードバックエンコーディングでは、ワイヤレスチャネルの周波数−時間の相関を活用するために、複数記述コーディング（ＭＤＣ）のような技術を使用してもよい。ＭＤＣでは、ＵＥは、異なる報告期間中に、異なるコードブックを持つ支配的固有ベクトルを量子化してもよい。それぞれのコードブックは、ベクトルの異なるセットを含んでいてもよい。これらの報告期間中に取得された支配的固有ベクトルを量子化するために、異なる報告期間中に、異なるコードブックを選択してもよい。例えば、ＵＥは、第１のコードブックにより、時間Ｔ１において支配的固有ベクトルを量子化してもよく、第２のコードブックにより、時間Ｔ２において支配的固有ベクトルを量子化等してもよい。異なるコードブックの使用により、チャネルフィードバックの精度を改善することができる。
【００５７】
一般的に、性能とオーバーヘッドとの間のトレードオフに基づいて、ＣＤＩと、ＣＳＩと、ＣＱＩとの量子化を実行してもよい。周波数選択的なスケジューリングをサポートするために、複数のサブバンドに対するＣＤＩと、ＣＳＩと、ＣＱＩとを報告するときには、このことは特に事実であるかもしれない。
【００５８】
１つの設計では、ＵＥは、構成可能なレートに基づいてＣＤＩを報告してもよい。ＵＥは、（ｉ）アンテナ分離が大きくて、アンテナ相関が低いシナリオでは、より高速なレートで（例えば、５ミリ秒（ｍｓ）ごとに）短期間のＣＤＩを、または、（ｉｉ）アンテナ間隔が小さく、および／または、アンテナ相関が高いシナリオでは、より低速なレートで（例えば、２００ｍｓごとに）長期間のＣＤＩを送ってもよい。一般的に、ＣＤＩ報告のレートは、ＵＥのアンテナコンフィギュレーション、チャネル条件、データ要件、オーバーヘッド考慮等のような、さまざまなファクターに依存していてもよい。任意の数のＣＤＩ報告レートをサポートしてもよい。通信セッションの開始において、適したファクターに基づいて、ＵＥに対するＣＤＩ報告レートを選択してもよい。ＣＤＩ報告レートは、通信セッションの間に、例えば、ＣＤＩ報告レートを選択するために使用されるファクターのうちの任意のものの変化により変わることがある。セルは、ＵＥからの短期間のＣＤＩ報告をフィルタリングすることによって、信頼性ある長期間のＣＤＩも取得することができる。
【００５９】
１つの設計では、ＵＥは、同じレートで、異なるタイプのチャネル情報を報告してもよい。例えば、ＵＥは、それぞれの報告中で、ＣＤＩと、ＣＳＩと、ＣＱＩとを送ってもよい。別の設計では、オーバーヘッドを減少させるために、ＵＥは、異なるレートで、異なるタイプのチャネル情報を報告してもよい。ＵＥは、第１のレートで、ＣＱＩとＣＳＩとを報告してもよく、そして、第１のレートとマッチングしているかもしれない、または、マッチングしていないかもしれない第２のレートで、ＣＤＩを報告してもよい。１つの設計では、ＵＥは、より高速なレート（例えば、５ｍｓごと）で、ＣＱＩとＣＳＩとを報告してもよく、より高速なレートで、または、より低速なレートでＣＤＩを報告してもよい。したがって、ＵＥは、より低速なレートで長期間のＣＤＩを報告するときにでさえも、より高速なレートで、短期間のＣＱＩとＣＳＩとを報告してもよい。このことは、長期間のＣＱＩ報告による、性能損失を減少させるかもしれない。短期間のＣＱＩを報告することと比較すると、長期間のＣＱＩを報告することは、結果として、セルのスペクトル効率において約２０％の性能損失となり、セル端ＵＥのスペクトル効率において約３０％の性能損失となると、コンピュータシミュレーションは示している。
【００６０】
ＵＥは、セルからの基準信号に基づいてＣＱＩを決定してもよく、ＣＱＩをセルに送ってもよい。ＭＵ−ＭＩＭＯまたはＣｏＭＰのために、ＵＥを、および、１つ以上の他のＵＥをスケジューリングしてもよい。ＵＥは、セルに報告されたＣＱＩ中の、複数のユーザの干渉の潜在的な影響を捕捉することができないかもしれない。
【００６１】
１つの設計では、スケジューラは、ＵＥから受信したチャネル情報に基づいて、ＣＱＩおよびランク予測と、ＭＣＳ選択とを実行してもよい。ＵＥは、（例えば、１つ以上の固有ベクトルに対する）ＣＤＩと、（例えば、それぞれの報告された固有ベクトルに対する）ＣＱＩとを報告してもよい。ＣＱＩは、ワイヤレスチャネルの、干渉レベルと特異値とを捕捉してもよい。スケジューラは、上述したように、スケジューリングするためにＵＥの１つのセットを選択してもよく、報告されたＣＱＩと、計算された送信ベクトルとに基づいて、それぞれのスケジューリングされたＵＥに対する達成可能なスペクトル効率を推定してもよい。
【００６２】
１つの設計では、ＵＥによって報告されたＣＱＩ中の（例えば、複数ユーザの干渉による）誤差に対処するために、リンク適応を実行してもよい。１つの設計では、そのＵＥに対するバックオフファクターを調整するために、それぞれのＵＥに対して、アウタループを維持してもよい。バックオフファクターは、報告されたＣＱＩにおける誤差に対処することができ、アウタループによって調整することができる。別の設計では、一緒にスケジューリングされているＵＥの１つのセット中のすべてのＵＥに対して計算されたプリコーディングベクトル間の直交性に基づいて、バックオフファクターを計算してもよい。例えば、次第に大きくなる直交プリコーディングベクトルに対して、次第に小さくなるバックオフファクターを使用してもよく、逆の場合も同じであってもよい。双方の設計では、上述したように、ＵＥのスペクトル効率を決定することができ、ＵＥに対するバックオフファクターによって減少させることができる。その後、減少したスペクトル効率に基づいて、ＵＥに対するＭＣＳを選択してもよい。
【００６３】
１つの設計では、性能を改善するために、非同期ハイブリッド自動再送信（ＨＡＲＱ）を使用してもよい。非同期ＨＡＲＱでは、セルは、パケットの送信をＵＥに送ってもよい。誤ってパケットがデコードされた場合、セルは、より良好なＣＱＩがＵＥによって報告されたサブフレーム中で、パケットの別の送信をＵＥに送ってもよい。非同期ＨＡＲＱは、ワイヤレスネットワーク中で、複数ユーザのダイバシティ利得をセルが捕捉するのを可能にすることができる。
【００６４】
セルは、所定の時間周波数リソース上で、ＵＥの１つのセットをスケジューリングしてもよい。セルは、上述したように、例えば、ＳＬＲ基準に基づくが、コードブックを使用せずに、それぞれのスケジューリングされたＵＥに対する１つ以上のプリコーディングベクトルを計算してもよい。セルは、そのＵＥに対して選択されたプリコーディングベクトルに基づいて、それぞれのスケジューリングされたＵＥに対するデータをプリコーディングしてもよい。セルは、そのＵＥに対するプリコーディングベクトルに基づいて、それぞれのスケジューリングされたＵＥに対する復調基準信号（ＤＭＲＳ）も送信してもよい。ＤＭＲＳは、ＵＥに特有であってもよく、１つ以上のレイヤ上でのデータ送信に対して使用されるのと同じプリコーディングベクトルによりプリコーディングされてもよい。時間周波数リソース上で複数のＵＥをスケジューリングする場合、異なるＵＥに対するＤＭＲＳを、コード分割多重化（ＣＤＭ）、または時分割多重化（ＴＤＭ）、または周波数分割多重化（ＦＤＭ）により多重化してもよい。
【００６５】
１つ以上の固有ベクトル（すなわち、ＣＤＩ）と、１つ以上の対応する特異値（すなわち、ＣＳＩ）と、１つ以上のＣＱＩ値とを含む、チャネル情報を送るためのここで記述した技術は、さまざまな利点を提供することができる。第１に、この技術は、ＳＵ−ＭＩＭＯや、ＭＵ−ＭＩＭＯや、ＣｏＭＰのような、異なる送信モード間のシームレスな切り替えを可能にする、統一されたフィードバックスキームを提供することができる。切り替えは、ＵＥにはトランスペアレントかもしれない。第２に、ＭＵ−ＭＩＭＯおよびＣｏＭＰのために、複数のＵＥからの情報を使用して、それぞれのスケジューリングされたＵＥに対する１つ以上のプリコーディングベクトルを決定し、そして、それぞれのスケジューリングされたＵＥに送信するそれぞれのパケットに対するＭＣＳを決定することができる。
【００６６】
図３は、ワイヤレスネットワーク中でＵＥをスケジューリングするためのプロセス３００の設計を示している。（以下で記述するような）スケジューラによって、または、他の何らかのネットワークエンティティによって、プロセス３００を実行してもよい。スケジューラは、セルにおいて、または、他の何らかのネットワークエンティティ（例えば、図１中のネットワーク制御装置１３０）において存在していてもよい。スケジューラは、複数のＵＥからＣＤＩを受信してもよい（ブロック３１２）。スケジューラはまた、複数のＵＥから、ＣＤＩに対応しているＣＳＩを受信してもよい（ブロック３１４）。スケジューラは、複数のＵＥからのＣＤＩとＣＳＩとに基づいて、データ送信のために複数のＵＥの中の少なくとも１つのＵＥをスケジューリングしてもよい（ブロック３１６）。スケジューラは、ＳＬＲ、または、スペクトル効率、または、他の何らかの基準、または、これらを組み合わせたものに関連するメトリックに基づいて、スケジューリングする少なくとも１つのＵＥを選択してもよい。
【００６７】
１つの設計では、それぞれのＵＥからのＣＤＩは、セルから、そのＵＥへのワイヤレスチャネルに対する少なくとも１つの固有ベクトル（例えば、少なくとも１つの右特異ベクトル）を含んでいてもよい。１つの設計では、それぞれのＵＥからのＣＳＩは、少なくとも１つの固有ベクトルに対応している、少なくとも１つの特異値を含んでいてもよい。１つの設計では、スケジューラは、同じレートで、ＣＤＩとＣＳＩとを受け取ってもよい。別の設計では、スケジューラは、異なるレートで、ＣＤＩとＣＳＩとを受け取ってもよい。例えば、ＵＥは、ＣＤＩよりも高速なレートで、ＣＳＩを報告してもよい。
【００６８】
１つの設計では、スケジューラは、ＳＵ−ＭＩＭＯのために１つのＵＥを、または、ＭＵ−ＭＩＭＯのために複数のＵＥをスケジューリングするか否かを決定するために、ＵＥの異なるセットの性能を評価してもよい。スケジューラは、ＳＵ−ＭＩＭＯのために、複数のＵＥのそれぞれの性能を決定してもよい。スケジューラは、ＭＵ−ＭＩＭＯのために、ＵＥの少なくとも１つのセットのそれぞれの性能も決定してもよい。ＵＥの少なくとも１つのセットは、複数のＵＥに基づいて形成されてもよい。スケジューラは、（ｉ）ＳＵ−ＭＩＭＯによるスケジューリングのために、複数のＵＥの中の１つのＵＥを、または、（ｉｉ）ＭＵ−ＭＩＭＯによるスケジューリングのために、ＵＥの少なくとも１つのセットの中のＵＥの１つのセットを選択してもよい。
【００６９】
１つの設計では、スケジューラは、複数のＵＥに基づいて、ＵＥの複数のセットを決定してもよい。スケジューラは、ＵＥの１つのセット中のすべてのＵＥに対する固有ベクトルに基づいて、ＵＥのそれぞれのセット中のそれぞれのＵＥに対するプリコーディングベクトルを決定してもよい。１つの設計では、スケジューラは、例えば、式（２）中で示されているように、ＵＥに対するＳＬＲを最大にするように、それぞれのＵＥに対するプリコーディングベクトルを決定してもよい。スケジューラは、ＵＥの１つのセット中のすべてのＵＥに対するプリコーディングベクトルに基づいて、ＵＥのそれぞれのセットに対するメトリックを決定してもよい。スケジューラは、その後、ＵＥのそれぞれのセットに対するメトリックに基づいて、スケジューリングするＵＥの１つのセットを選択してもよい。
【００７０】
１つの設計では、スケジューラは、ＵＥの１つのセット中のすべてのＵＥに対するプリコーディングベクトルに基づいて、ＵＥのそれぞれのセット中のそれぞれのＵＥに対するスペクトル効率を決定してもよい。スケジューラは、例えば、式（７）中で示されているように、ＵＥの１つのセット中のすべてのＵＥに対するスペクトル効率に基づいて、ＵＥのそれぞれのセットに対するメトリックを決定してもよい。また、例えば、式（８）中で示されているように、ＵＥの１つのセット中のそれぞれのＵＥによって経験するスループットにさらに基づいて、メトリックを決定してもよい。別の設計では、スケジューラは、ＵＥの１つのセット中のすべてのＵＥに対するプリコーディングベクトル間の直交性に基づいて、ＵＥのそれぞれのセットに対するメトリック決定してもよい。一般的に、ＵＥのそれぞれのセットに対するメトリックは、スペクトル効率に、または、比例公平性に、または、プリコーディングベクトル間の直交性に、または、他の何らかの基準に、または、これらを組み合わせたものに関連していてもよい。
【００７１】
１つの設計では、スケジューラは、複数のＵＥから、ノイズおよび干渉情報を受け取ってもよい。この情報は、ＵＥによって観測されたノイズおよび干渉を示していてもよく、ノイズ共分散行列を含んでいてもよい。スケジューラは、複数のＵＥからのノイズおよび干渉情報にさらに基づいて、データ送信のために少なくとも１つのＵＥをスケジューリングしてもよい。例えば、スケジューラは、例えば、式（５）中で示されているように、そのＵＥからのノイズ共分散行列Ｒnnに基づいて、それぞれのＵＥのＳＩＮＲを決定してもよい。
【００７２】
スケジューラは、少なくとも１つのＵＥからＣＱＩを受信してもよい（ブロック３１８）。スケジューラは、少なくとも１つのＵＥからのＣＱＩに基づいて、少なくとも１つのＵＥに対する少なくとも１つのＭＣＳを選択してもよい（ブロック３２０）。１つの設計では、スケジューラは、例えば、上述した設計のうちの任意のものに基づいて、少なくとも１つのＵＥに対する少なくとも１つのバックオフファクターを決定してもよい。スケジューラは、少なくとも１つのバックオフファクターにさらに基づいて、少なくとも１つのＭＣＳを選択してもよい。スケジューラは、少なくとも１つのＭＣＳに基づいて、少なくとも１つのＵＥにデータ送信を送ってもよい（ブロック３２２）。
【００７３】
図４は、ＵＥをスケジューリングする装置４００の設計を示している。装置４００は、複数のＵＥからＣＤＩを受信するモジュール４１２と、複数のＵＥから、ＣＤＩに対応しているＣＳＩを受信するモジュール４１４と、複数のＵＥからのＣＤＩとＣＳＩとに基づいて、データ送信のために複数のＵＥの中の少なくとも１つのＵＥをスケジューリングするモジュール４１６と、少なくとも１つのＵＥからＣＱＩを受信するモジュール４１８と、ＣＱＩに基づいて、少なくとも１つのＵＥに対する少なくとも１つのＭＣＳを選択するモジュール４２０と、少なくとも１つのＭＣＳに基づいて、少なくとも１つのＵＥにデータ送信を送るモジュール４２２とを備えている。
【００７４】
図５は、データを受信するためのプロセス５００の設計を示している。（以下で記述したような）ＵＥによって、または、他の何らかのエンティティによって、プロセス５００を実行してもよい。ＵＥは、そのＵＥに対するＣＤＩを決定してもよい（ブロック５１２）。ＵＥはまた、ＣＤＩに対応しているＣＳＩを決定してもよい（ブロック５１４）。ＵＥは、データ送信のために複数のＵＥの中の少なくとも１つのＵＥをスケジューリングするのに使用するＣＤＩとＣＳＩとを報告してもよく、複数のＵＥは、このＵＥを含む（ブロック５１６）。
【００７５】
１つの設計では、ＵＥは、セルからＵＥへのワイヤレスチャネルに対するチャネル行列を決定してもよい。ＵＥは、式（１）中で示されているように、チャネル行列を分解して、複数の固有ベクトル（例えば、複数の右特異ベクトル）を取得してもよい。ＵＥは、ＵＥに対するＣＤＩとして、複数の固有ベクトルの中から少なくとも１つの固有ベクトルを提供してもよい。１つの設計では、ＭＵ−ＭＩＭＯのためにＵＥが構成されている場合に、ＵＥは、最大の特異値に関係する単一の固有ベクトルを選択してもよい。１つの設計では、ＳＵ−ＭＩＭＯのためにＵＥが構成されている場合に、ＵＥは、少なくとも２つの最大の特異値に関係している少なくとも２つの固有ベクトルを選択してもよい。一般的に、ＵＥは、任意の数の固有ベクトルを報告して、ＳＵ−ＭＩＭＯおよびＭＵ−ＭＩＭＯのために、同じまたは異なる数の固有ベクトルを報告してもよい。ＣＳＩは、ＵＥに対するＣＤＩとして提供される少なくとも１つの固有ベクトルに対応している、少なくとも１つの最大の特異値を含んでいてもよい。
【００７６】
１つの設計では、ＵＥは、同じレートで、ＣＤＩとＣＳＩとを報告してもよい。別の設計では、ＵＥは、異なるレートで、ＣＤＩとＣＳＩとを報告してもよい。例えば、ＵＥは、ＣＳＩよりも低速なレートで、ＣＤＩを報告してもよい。
【００７７】
ＵＥは、さまざまな態様で、少なくとも１つの固有ベクトルを量子化してもよい。１つの設計では、ＵＥは、固定したビット数を持つそれぞれの固有ベクトルを量子化してもよい。別の設計では、ＵＥは、構成可能なビット数を持つそれぞれの固有ベクトルを量子化してもよい。１つの設計では、ＳＵ−ＭＩＭＯのために、または、ＭＵ−ＭＩＭＯのために、ＵＥが構成されているか否かにかかわらず、ＵＥは、同じビット数を持つそれぞれの固有ベクトルを量子化してもよい。別の設計では、（ｉ）ＳＵ−ＭＩＭＯのためにＵＥが構成されている場合には、第１のビット数を持つ、または、（ｉｉ）ＭＵ−ＭＩＭＯのためにＵＥが構成されている場合には、第１のビット数よりも大きい第２のビット数を持つ、それぞれの固有ベクトルを、ＵＥは量子化してもよい。１つの設計では、ＵＥは、それぞれの報告期間中に、同じコードブックに基づいて固有ベクトルを量子化してもよい。別の設計では、ＵＥは、ＭＤＣにより、異なる報告期間中に、異なるコードブックに基づいて固有ベクトルを量子化してもよい。
【００７８】
１つの設計では、ＵＥは、ＵＥに対するノイズおよび干渉情報を決定してもよく、このノイズおよび干渉情報は、ノイズ共分散行列Ｒnn、または、ノイズ分散μ、または、他の何らかの情報を含んでいてもよい。ＵＥは、スケジューリングするために使用するノイズおよび干渉情報を報告してもよい。
【００７９】
１つの設計では、ＵＥは、ＣＱＩを決定してもよく（ブロック５１８）、ＵＥに対する少なくとも１つのＭＣＳを選択するために使用するＣＱＩを報告してもよい（ブロック５２０）。ＵＥは、少なくとも１つのＭＣＳに基づいてＵＥに送られたデータ送信を受信してもよい（ブロック５２２）。ＳＵ−ＭＩＭＯのためにＵＥがスケジューリングされている場合に、そのＵＥのみに送られたデータ送信を、ＵＥは受信してもよい。ＭＵ−ＭＩＭＯのためにＵＥがスケジューリングされている場合に、ＵＥは、このＵＥを含む複数のＵＥに送られたデータ送信を受信してもよい。
【００８０】
図６は、データを受信するための装置６００の設計を示している。装置６００は、ＵＥに対するＣＤＩを決定するモジュール６１２と、ＵＥに対するＣＤＩに対応しているＣＳＩを決定するモジュール６１４と、データ送信のために複数のＵＥの中の少なくとも１つのＵＥをスケジューリングするのに使用するＣＤＩとＣＳＩとを報告するモジュール６１６と、ＵＥに対するＣＱＩを決定するモジュール６１８と、ＵＥに対する少なくとも１つのＭＣＳを選択するために使用するＣＱＩを報告するモジュール６２０と、少なくとも１つのＭＣＳに基づいてＵＥに送られたデータ送信を受信するモジュール６２２とを備え、複数のＵＥは、このＵＥを含む。
【００８１】
図４および図６中のモジュールは、プロセッサ、電子デバイス、ハードウェアデバイス、電子コンポーネント、論理回路、メモリ、ソフトウェアコード、ファームウェアコード等を、または、これらの任意のものを組み合わせたものを含んでいてもよい。
【００８２】
図７は、基地局／ｅＮＢ１１０およびＵＥ１２０の設計のブロック図を示しており、この基地局／ｅＮＢ１１０およびＵＥ１２０は、図１中の、基地局／ｅＮＢのうちの１つ、および、ＵＥのうちの１つであってもよい。基地局１１０は、１つ以上のセルを担当していてもよく、この基地局１１０には、Ｔ本のアンテナ７３４ａないし７３４ｔが備えられていてもよく、ここでは、Ｔ＞１である。ＵＥ１２０には、Ｒ本のアンテナ７５２ａないし７５２ｒが備えられていてもよく、ここでは、Ｒ≧１である。
【００８３】
基地局１１０では、送信プロセッサ７２０が、データソース７１２から１つ以上のＵＥ用のデータを受け取り、そのＵＥに対して選択された少なくとも１つのＭＣＳに基づいて、それぞれのＵＥ用のデータを処理して、データシンボルをすべてのＵＥに提供してもよい。プロセッサ７２０はまた、制御装置／プロセッサ７４０からの制御情報を受け取って処理し、制御シンボルを提供してもよい。プロセッサ７２０はまた、１つ以上の基準信号に対する基準シンボルも発生させてもよい。送信（ＴＸ）ＭＩＭＯプロセッサ７３０は、そのＵＥに対して決定された１つ以上のプリコーディングベクトルに基づいて、それぞれのＵＥに対して、データシンボル上で、制御シンボル上で、および／または基準シンボル上で、プリコーディングを実行してもよい。プロセッサ７３０は、Ｔ個の出力シンボルストリームをＴ個の変調器（ＭＯＤ）７３２ａないし７３２ｔに提供してもよい。それぞれの変調器７３２は、（例えば、ＯＦＤＭ等のために）各出力シンボルストリームを処理して、出力サンプルストリームを取得してもよい。それぞれの変調器７３２は、出力サンプルストリームをさらに処理（例えば、アナログコンバート、増幅、フィルタリング、およびアップコンバート）し、ダウンリンク信号を取得してもよい。Ｔ本のアンテナ７３４ａないし７３４ｔを通して、変調器７３２ａないし７３２ｔからのＴ個のダウンリンク信号を、それぞれ、送信してもよい。
【００８４】
ＵＥ１２０では、アンテナ７５２ａないし７５２ｒが、ダウンリンク信号を基地局１１０および他の基地局から受信してもよく、それぞれ、受信信号を復調器（ＤＥＭＯＤ）７５４ａないし７５４ｒに提供してもよい。それぞれの復調器７５４は、各受信信号を調整（例えば、フィルタリング、増幅、ダウンコンバート、およびデジタル化）して、入力サンプルを取得してもよい。それぞれの復調器７５４は、（例えば、ＯＦＤＭ等のために）入力サンプルをさらに処理して、受信シンボルを取得してもよい。ＭＩＭＯ検出器７５６は、受信シンボルをＲ個の復調器７５４ａないし７５４ｒすべてから取得し、受信シンボル上でＭＩＭＯ検出を実行し、検出されたシンボルを提供してもよい。受信プロセッサ７５８は、検出されたシンボルを処理（例えば、復調およびデコード）し、ＵＥ１２０に対するデコードされたデータをデータシンク７６０に提供し、デコードされた制御情報を制御装置／プロセッサ７８０に提供してもよい。
【００８５】
アップリンク上で、ＵＥ１２０では、送信プロセッサ７６４が、データをデータソース７６２から、そして制御情報（例えば、ＣＤＩ、ＣＳＩ、ＣＱＩ等）を制御装置／プロセッサ７８０から受け取ってもよい。プロセッサ７６４は、データと制御情報とを処理（例えば、エンコードおよび変調）し、データシンボルと制御シンボルとをそれぞれ取得してもよい。プロセッサ７６４はまた、１つ以上の基準信号に対する基準シンボルを発生させてもよい。（例えば、ＳＣ−ＦＤＭ、ＯＦＤＭ等のために）送信プロセッサ７６４からのシンボルを、適用できるならば、ＴＸ ＭＩＭＯプロセッサ７６６によってプリコーディングし、変調器７５４ａないし７５４ｒによってさらに処理し、基地局１１０に、そして場合によっては他の基地局に送信してもよい。基地局１１０において、ＵＥ１２０と他のＵＥとからのアップリンク信号を、アンテナ７３４によって受信し、復調器７３２によって処理し、ＭＩＭＯ検出器７３６によって検出し、受信プロセッサ７３８によってさらに処理し、ＵＥ１２０および他のＵＥによって送られた、デコードされたデータと制御情報とを取得してもよい。プロセッサ７３８は、デコードされたデータをデータシンク７３９に、そして、デコードされた制御情報を制御装置／プロセッサ７４０に提供してもよい。
【００８６】
ＵＥ１２０におけるチャネルプロセッサ７８４は、関心のあるそれぞれのセルに対するチャネル応答を推定して、チャネル行列をセルに提供してもよい。プロセッサ７８０および／または７８４は、上述したように、関心のあるそれぞれのセルに対するチャネル行列に基づいて、ＣＤＩ、ＣＳＩ、ＣＱＩ等のようなチャネル情報を決定してもよい。
【００８７】
制御装置／プロセッサ７４０および７８０は、それぞれ、基地局１１０およびＵＥ１２０における動作を指示してもよい。メモリ７４２および７８２は、それぞれ、基地局１１０およびＵＥ１２０に対する、データおよびプログラムコードを記憶してもよい。スケジューラ７４４は、ダウンリンクおよび／またはアップリンク上でのデータ送信のためにＵＥをスケジューリングしてもよい。基地局１１０における、スケジューラ７４４および／または他のプロセッサおよびモジュールは、図３中のプロセス３００を、および／または、ここで記述した技術に対する他のプロセスを、実行または指示してもよい。ネットワークワーク制御装置１３０内の１つ以上のプロセッサによっても、プロセス３００を実行してもよい。ＵＥ１２０における、プロセッサ７８０および／または他のプロセッサおよびモジュールは、図５中のプロセス５００を、および／または、ここで記述した技術に対する他のプロセスを、実行または指示してもよい。
【００８８】
さまざまな異なるテクノロジーおよび技術のうちの任意のものを使用して、情報および信号を表してもよいことを、当業者は理解するだろう。例えば、上記の記述全体を通して参照した、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表してもよい。
【００８９】
ここでの開示に関連して記述した、さまざまな例示的な論理ブロック、モジュール、回路、およびアルゴリズムステップは、電子ハードウェア、コンピュータソフトウェア、あるいは双方を組み合わせたものとして実現してもよいことを、当業者はさらに正しく認識するだろう。ハードウェアおよびソフトウェアのこの互換性を明確に図示するために、さまざまな例示的なコンポーネント、ブロック、モジュール、回路、およびステップを、これらの機能性の観点に関して上記で概して記述している。このような機能性が、ハードウェアまたはソフトウェアとして実現されるか否かは、システム全体に課せられている、特定のアプリケーションおよび設計制約に依存する。熟練者が、それぞれの特定のアプリケーションのための方法を変えて、記述した機能性を実現するかもしれないが、このようなインプリメンテーションの決定は、本開示の範囲から逸脱が生じるとして解釈されるべきでない。
【００９０】
ここでの開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。
【００９１】
ここでの開示に関連して記述した、方法またはアルゴリズムのステップは、ハードウェアで、プロセッサによって実行されるソフトウェアモジュールで、または、２つのものを組み合わせたもので直接的に具体化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている記憶媒体の他の何らかの形態で存在していてもよい。プロセッサが記憶媒体から情報を読み取ったり、記憶媒体に情報を書き込んだりできるように、例示的な記憶媒体はプロセッサに結合されている。代替実施形態では、記憶媒体は、プロセッサと一体化されてもよい。プロセッサおよび記憶媒体は、ＡＳＩＣ中に存在していてもよい。ＡＳＩＣは、ユーザ端末中に存在していてもよい。代替実施形態では、プロセッサおよび記憶媒体は、ユーザ端末中にディスクリートコンポーネントとして存在していてもよい。
【００９２】
１つ以上の例示的な設計では、記述した機能は、ハードウェア、ソフトウェア、ファームウェア、またはこれらの任意の組み合わせで実現してもよい。ソフトウェア中で実現した場合、機能は、１つ以上の命令またはコードとしてコンピュータ読み取り可能媒体上に記憶されてもよく、あるいは、１つ以上の命令またはコードとしてコンピュータ読み取り可能媒体上に送信されてもよい。コンピュータ読み取り可能媒体は、１つの場所から別の場所へのコンピュータプログラムの転送を促進する何らかの媒体を含む、コンピュータ記憶媒体および通信媒体の双方を含む。記憶媒体は、汎用コンピュータまたは特殊目的コンピュータによってアクセスできる何らかの利用可能な媒体であってもよい。例示によると、このようなコンピュータ読み取り可能な媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、あるいは命令またはデータ構成の形態で所望のプログラムコード手段を伝送または記憶するために使用でき、汎用または特殊目的コンピュータあるいは汎用または特殊目的プロセッサによってアクセスできる他の何らかの媒体を含むことができるが、これらに限定されない。また、あらゆる接続は、コンピュータ読み取り可能媒体と適切に呼ばれている。例えば、ソフトウェアが、ウェブサイトから、サーバから、あるいは、同軸ケーブル、ファイバ光ケーブル、撚り対、デジタル加入者線（ＤＳＬ）、または赤外線や、無線や、マイクロ波のようなワイヤレス技術を使用している他の遠隔ソースから送信された場合、同軸ケーブル、ファイバ光ケーブル、撚り対、ＤＳＬ、あるいは、赤外線や、無線や、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【００９３】
この開示の先の説明は、当業者が、この開示を作り、または、使用できるように提供されている。この開示に対するさまざまな修正は、当業者に容易に明らかになるであろう。また、ここで規定されている一般的な原理は、この開示の範囲の精神または範囲から逸脱することなく、他の変形に適用されてもよい。したがって、この開示は、ここに記述した、例および設計に限定されることを意図しているものではないが、ここで開示した、原理および新規な特徴と矛盾しない最も広範囲に一致させるべきである。
以下に、本願出願の当初の特許請求の範囲に記載された発明を付記する。
［１］ワイヤレス通信のための方法において、
複数のユーザ機器（ＵＥ）から、チャネル方向情報（ＣＤＩ）を受信することと、
前記複数のＵＥからの前記ＣＤＩに基づいて、データ送信のために前記複数のＵＥの中の少なくとも１つのＵＥをスケジューリングすることとを含む方法。
［２］前記複数のＵＥからＣＤＩを受信することは、前記複数のＵＥのそれぞれから、少なくとも１つの固有ベクトルを受信することを含む［１］記載の方法。
［３］前記複数のＵＥから、前記ＣＤＩに対応しているチャネル強度情報（ＣＳＩ）を受信することと、
前記複数のＵＥからの前記ＣＳＩにさらに基づいて、データ送信のために前記少なくとも１つのＵＥをスケジューリングすることをさらに含む［１］記載の方法。
［４］前記複数のＵＥからＣＳＩを受信することは、前記複数のＵＥのそれぞれから、少なくとも１つの固有ベクトルに対応している少なくとも１つの特異値を受信することを含む［３］記載の方法。
［５］第１のレートで前記ＣＤＩを受信し、前記第１のレートとは異なる第２のレートで前記ＣＳＩを受信する［３］記載の方法。
［６］前記少なくとも１つのＵＥをスケジューリングすることは、
単一ユーザの複数入力複数出力（ＳＵ−ＭＩＭＯ）に対する、前記複数のＵＥのそれぞれの性能を決定することと、
複数ユーザのＭＩＭＯ（ＭＵ−ＭＩＭＯ）に対する、ＵＥの少なくとも１つのセットのそれぞれの性能を決定することと、
スケジューリングするために、前記複数のＵＥの中の１つのＵＥを、または、前記ＵＥの少なくとも１つのセットの中のＵＥの１つのセットを選択することとを含み、
前記ＵＥの少なくとも１つのセットは、前記複数のＵＥに基づいて形成される［１］記載の方法。
［７］前記少なくとも１つのＵＥをスケジューリングすることは、信号対漏洩比（ＳＬＲ）に関連するメトリックに基づいて、スケジューリングするために前記少なくとも１つのＵＥを選択することを含む［１］記載の方法。
［８］前記少なくとも１つのＵＥをスケジューリングすることは、
前記複数のＵＥに基づいて、ＵＥの複数のセットを決定することと、
ＵＥのセット中のすべてのＵＥに対する固有ベクトルに基づいて、ＵＥのそれぞれのセット中のそれぞれのＵＥに対するプリコーディングベクトルを決定することと、
前記ＵＥのセット中のすべてのＵＥに対するプリコーディングベクトルに基づいて、前記ＵＥのそれぞれのセットに対するメトリックを決定することと、
前記ＵＥのそれぞれのセットに対する前記メトリックに基づいて、スケジューリングするために前記ＵＥの１つのセットを選択することと含む［２］記載の方法。
［９］前記それぞれのＵＥに対するプリコーディングベクトルを決定することは、前記ＵＥに対する信号対漏洩比（ＳＬＲ）を最大にするように、それぞれのＵＥに対するプリコーディングベクトルを決定することを含む［８］記載の方法。
［１０］前記ＵＥのそれぞれのセットに対するメトリックを決定することは、
前記ＵＥのセット中のすべてのＵＥに対するプリコーディングベクトルに基づいて、前記ＵＥのそれぞれのセット中のそれぞれのＵＥに対するスペクトル効率を決定することと、
前記ＵＥのセット中のすべてのＵＥに対するスペクトル効率に基づいて、前記ＵＥのそれぞれのセットに対するメトリックを決定することとを含む［８］記載の方法。
［１１］前記ＵＥのそれぞれのセットに対するメトリックを決定することは、前記ＵＥのセット中のそれぞれのＵＥによって経験するスループットにさらに基づいて、前記ＵＥのそれぞれのセットに対するメトリックを決定することを含む［１０］記載の方法。
［１２］前記ＵＥのそれぞれのセットに対するメトリックを決定することは、前記ＵＥのセット中のすべてのＵＥに対するプリコーディング間の直交性に基づいて、前記ＵＥのそれぞれのセットに対する前記メトリックを決定することを含む［８］記載の方法。
［１３］前記少なくとも１つのＵＥから、チャネル品質情報（ＣＱＩ）を受信することと、
前記少なくとも１つのＵＥからのＣＱＩに基づいて、前記少なくとも１つのＵＥに対する少なくとも１つの変調コーディングスキーム（ＭＣＳ）を選択することとをさらに含む［１］記載の方法。
［１４］前記少なくとも１つのＵＥに対する少なくとも１つのバックオフファクターを決定することと、
前記少なくとも１つのバックオフファクターにさらに基づいて、前記少なくとも１つのＭＣＳを選択することとをさらに含む［１３］記載の方法。
［１５］前記複数のＵＥから、ノイズおよび干渉情報を受信することと、
前記複数のＵＥからのノイズおよび干渉情報にさらに基づいて、データ送信のために前記少なくとも１つのＵＥをスケジューリングすることとをさらに含む［１］記載の方法。
［１６］ワイヤレス通信のための装置において、
複数のユーザ機器（ＵＥ）から、チャネル方向情報（ＣＤＩ）を受信する手段と、
前記複数のＵＥからの前記ＣＤＩに基づいて、データ送信のために前記複数のＵＥの中の少なくとも１つのＵＥをスケジューリングする手段とを具備する装置。
［１７］前記複数のＵＥから、前記ＣＤＩに対応しているチャネル強度情報（ＣＳＩ）を受信する手段と、
前記複数のＵＥからの前記ＣＳＩにさらに基づいて、データ送信のために前記少なくとも１つのＵＥをスケジューリングする手段をさらに具備する［１６］記載の装置。
［１８］前記少なくとも１つのＵＥをスケジューリングする手段は、信号対漏洩比（ＳＬＲ）に関連するメトリックに基づいて、スケジューリングするために前記少なくとも１つのＵＥを選択する手段を備える［１６］記載の装置。
［１９］前記少なくとも１つのＵＥをスケジューリングする手段は、
単一ユーザの複数入力複数出力（ＳＵ−ＭＩＭＯ）に対する、前記複数のＵＥのそれぞれの性能を決定する手段と、
複数ユーザのＭＩＭＯ（ＭＵ−ＭＩＭＯ）に対する、ＵＥの少なくとも１つのセットのそれぞれの性能を決定する手段と、
スケジューリングするために、前記複数のＵＥの中の１つのＵＥを、または、前記ＵＥの少なくとも１つのセットの中のＵＥの１つのセットを選択する手段とを備え、
前記ＵＥの少なくとも１つのセットは、前記複数のＵＥに基づいて形成される［１６］記載の装置。
［２０］前記複数のＵＥからＣＤＩを受信する手段は、前記複数のＵＥのそれぞれから、少なくとも１つの固有ベクトルを受信する手段を備え、
前記少なくとも１つのＵＥをスケジューリングする手段は、
前記複数のＵＥに基づいて、ＵＥの複数のセットを決定する手段と、
前記ＵＥのセット中のすべてのＵＥに対する固有ベクトルに基づいて、ＵＥのそれぞれのセット中のそれぞれのＵＥに対するプリコーディングベクトルを決定する手段と、
前記ＵＥのセット中のすべてのＵＥに対するプリコーディングベクトルに基づいて、前記ＵＥのそれぞれのセットに対するメトリックを決定する手段と、
前記ＵＥのそれぞれのセットに対する前記メトリックに基づいて、スケジューリングするために前記ＵＥの１つのセットを選択する手段とを備える［１６］記載の装置。
［２１］ワイヤレス通信のための装置において、
複数のユーザ機器（ＵＥ）から、チャネル方向情報（ＣＤＩ）を受信するようにと、
前記複数のＵＥからの前記ＣＤＩに基づいて、データ送信のために前記複数のＵＥの中の少なくとも１つのＵＥをスケジューリングするように構成されている少なくとも１つのプロセッサを具備する装置。
［２２］コンピュータプログラムプロダクトにおいて、
複数のユーザ機器（ＵＥ）から、チャネル方向情報（ＣＤＩ）を少なくとも１つのコンピュータに受信させるためのコードと、
前記複数のＵＥからの前記ＣＤＩに基づいて、データ送信のために前記複数のＵＥの中の少なくとも１つのＵＥを前記少なくとも１つのコンピュータにスケジューリングさせるためのコードとを含む一時的でないコンピュータ読み取り可能媒体を具備するコンピュータプログラムプロダクト。
［２３］ワイヤレス通信のための方法において、
ユーザ機器（ＵＥ）に対するチャネル方向情報（ＣＤＩ）を決定することと、
データ送信のために複数のＵＥの中の少なくとも１つのＵＥをスケジューリングするのに使用する前記ＣＤＩを報告することとを含み、
前記複数のＵＥは、前記ＵＥを含む方法。
［２４］前記ＵＥに対するＣＤＩを決定することとは、
セルから前記ＵＥへのワイヤレスチャネルに対するチャネル行列を決定することと、
前記チャネル行列を分解して、複数の固有ベクトルを取得することと、
前記ＵＥに対する前記ＣＤＩとして、前記複数の固有ベクトルの中から少なく１つの固有ベクトルを提供することとを含む［２３］記載の方法。
［２５］複数ユーザの複数入力複数出力（ＭＵ−ＭＩＭＯ）または単一ユーザのＭＩＭＯ（ＳＵ−ＭＩＭＯ）のために前記ＵＥが構成されているか否かに基づいて、前記ＵＥに対する前記ＣＤＩとして提供する固有ベクトルの数を決定することをさらに含む［２４］記載の方法。
［２６］前記少なくとも１つの固有ベクトルを提供することは、
複数ユーザの複数入力複数出力（ＭＵ−ＭＩＭＯ）のために前記ＵＥが構成されている場合に、最大の特異値に関係する単一の固有ベクトルを選択することと、
単一ユーザのＭＩＭＯ（ＳＵ−ＭＩＭＯ）のために前記ＵＥが構成されている場合に、少なくとも２つの最大の特異値に関係する少なくとも２つの固有ベクトルを選択することとを含む［２４］記載の方法。
［２７］前記ＵＥに対する前記ＣＤＩに対応しているチャネル強度情報（ＣＳＩ）を決定することと、
前記複数のＵＥの中の前記少なくとも１つのＵＥをスケジューリングするのに使用する前記ＣＳＩを報告することとをさらに含む［２３］記載の方法。
［２８］前記ＣＳＩを決定することは、
前記ＵＥに対する前記ＣＤＩとして提供された少なくとも１つの固有ベクトルに対応している少なくとも１つの特異値を決定することを含む［２７］記載の方法。
［２９］前記ＣＤＩは、第１のレートで報告され、前記ＣＳＩは、前記第１のレートとは異なる第２のレートで報告される［２７］記載の方法。
［３０］構成可能なビット数を持つ前記少なくとも１つの固有ベクトルのそれぞれを量子化することをさらに含む［２４］記載の方法。
［３１］単一ユーザの複数入力複数出力（ＳＵ−ＭＩＭＯ）のために前記ＵＥが構成されている場合に、第１のビット数を持つ前記少なくとも１つの固有ベクトルのそれぞれを量子化することと、
複数ユーザのＭＩＭＯ（ＭＵ−ＭＩＭＯ）のために前記ＵＥが構成されている場合に、第１のビット数よりも大きい第２のビット数を持つ前記少なくとも１つの固有ベクトルのそれぞれを量子化することとをさらに含む［２４］記載の方法。
［３２］複数記述コーディング（ＭＤＣ）に基づいて、前記少なくとも１つの固有ベクトルを量子化することをさらに含む［２４］記載の方法。
［３３］単一ユーザの複数入力複数出力（ＳＵ−ＭＩＭＯ）のために前記ＵＥがスケジューリングされる場合に、前記ＵＥのみに送られたデータ送信を受信することと、
複数ユーザのＭＩＭＯ（ＭＵ−ＭＩＭＯ）のために前記ＵＥがスケジューリングされる場合に、前記ＵＥを含む複数のＵＥに送られたデータ送信を受信することとをさらに含む［２３］記載の方法。
［３４］前記ＵＥに対するチャネル品質情報（ＣＱＩ）を決定することと、
前記ＵＥに対する少なくとも１つの変調コーディングスキーム（ＭＣＳ）を選択するのに使用する前記ＣＱＩを報告することとをさらに含む［２３］記載の方法。
［３５］前記ＵＥに対するノイズおよび干渉情報を決定することと、
前記複数のＵＥの中の前記少なくとも１つのＵＥをスケジューリングするのに使用する前記ノイズおよび干渉情報を報告することとをさらに含む［２３］記載の方法。
［３６］ワイヤレス通信のための装置において、
ユーザ機器（ＵＥ）に対するチャネル方向情報（ＣＤＩ）を決定する手段と、
データ送信のために複数のＵＥの中の少なくとも１つのＵＥをスケジューリングするのに使用する前記ＣＤＩを報告する手段とを具備し、
前記複数のＵＥは、前記ＵＥを含む装置。
［３７］前記ＵＥに対するＣＤＩを決定する手段は、
セルから前記ＵＥへのワイヤレスチャネルに対するチャネル行列を決定する手段と、
前記チャネル行列を分解して、複数の固有ベクトルを取得する手段と、
前記ＵＥに対する前記ＣＤＩとして、前記複数の固有ベクトルの中から少なく１つの固有ベクトルを提供する手段とを備える［３６］記載の装置。
［３８］構成可能なビット数を持つ前記少なくとも１つの固有ベクトルのそれぞれを量子化する手段をさらに具備する［３７］記載の装置。
［３９］前記ＵＥに対する前記ＣＤＩに対応しているチャネル強度情報（ＣＳＩ）を決定する手段と、
前記複数のＵＥの中の前記少なくとも１つのＵＥをスケジューリングするのに使用する前記ＣＳＩを報告する手段とをさらに具備する［３６］記載の装置。
［４０］単一ユーザの複数入力複数出力（ＳＵ−ＭＩＭＯ）のために前記ＵＥがスケジューリングされる場合に、前記ＵＥのみに送られたデータ送信を受信する手段と、
複数ユーザのＭＩＭＯ（ＭＵ−ＭＩＭＯ）のために前記ＵＥがスケジューリングされる場合に、前記ＵＥを含む複数のＵＥに送られたデータ送信を受信する手段とをさらに具備する［３６］記載の装置。
［４１］ワイヤレス通信のための装置において、
ユーザ機器（ＵＥ）に対するチャネル方向情報（ＣＤＩ）を決定するようにと、
データ送信のために複数のＵＥの中の少なくとも１つのＵＥをスケジューリングするのに使用する前記ＣＤＩを報告するように構成されている少なくとも１つのプロセッサを具備し、
前記複数のＵＥは、前記ＵＥを含む装置。
［４２］コンピュータプログラムプロダクトにおいて、
ユーザ機器（ＵＥ）に対するチャネル方向情報（ＣＤＩ）を少なくとも１つのコンピュータに決定させるためのコードと、
データ送信のために複数のＵＥの中の少なくとも１つのＵＥをスケジューリングするのに使用する前記ＣＤＩを前記少なくとも１つのコンピュータに報告させるためのコードとを含む一時的でないコンピュータ読み取り可能媒体を具備し、
前記複数のＵＥは、前記ＵＥを含むコンピュータプログラムプロダクト。
【図１】
0005475134.tif 000012
【図２】
0005475134.tif 000013
【図３】
0005475134.tif 000014
【図４】
0005475134.tif 000015
【図５】
0005475134.tif 000016
【図６】
0005475134.tif 000017
【図７】
0005475134.tif 000018